(57)【特許請求の範囲】
【請求項１】
モーアデッキの内部に縦軸心周りに回転駆動される複数の回転ブレードを並列配備するとともに、モーアデッキの内方前部に前記回転ブレードの先端回動軌跡に沿った形状の前部バッフルプレートを設けたモーアにおいて、
前記モーアデッキの前壁と前記前部バッフルプレートとの間に形成された空間における各回転ブレードの前方位置に、前記空間に流出した刈草が排出口側に流動するのを抑制する、前後方向に沿った縦壁状の仕切り板を配備し、前記前部バッフルプレートの下端をモーアデッキにおける前壁の下端よりも高く位置させるとともに、前記仕切り板の下端を、前記前部バッフルプレートの下端より下方に突出させてあることを特徴とするモーア。
【請求項２】
前記モーアデッキの内部に細断用バッフルを脱着可能に構成してあることを特徴とする請求項１記載のモーア。
【発明の詳細な説明】
【技術分野】
【０００１】
本発明は、主として芝刈り用に利用されるモーアに関する。
【背景技術】
【０００２】
芝刈り用のモーアとしては、天井面が扁平に形成されたフラットデッキ型のモーアデッキの内部に縦軸心周りに回転駆動される複数の回転ブレードを並列配備するとともに、モーアデッキの内方前部に回転ブレードの先端回動軌跡に沿った形状の前部バッフルプレートを設けたものが知られている（例えば、特許文献１参照）。
【特許文献１】米国特許第５９８７８６３号明細書
【発明の開示】
【発明が解決しようとする課題】
【０００３】
上記構成のモーアは、各回転ブレードで刈取った刈草をモーアデッキの横一側方に送って排出するサイドディスチャージ形態での草刈作業と、モーアデッキ内に細断用バッフルを付設することで各回転ブレードごとの細断室を形成して、各細断室で刈草を持ち回り細断し地上に放置してゆくマルチング形態での草刈作業を選択することができるよう構成されたものであるが、サイドディスチャージ形態での草刈作業においては、回転ブレードで切断され跳ね飛ばされた刈草の一部が、モーアデッキの前壁と前部バッフルプレートとの間に形成された空間に流出して、長いまま排出されてしまうことがあった。また、マルチング形態での草刈作業においては、モーアデッキの前壁と前部バッフルプレートとの間に形成された空間に流出した刈草が、サイドディスチャージにおける刈草排出方向に流動して偏ってしまい、サイドディスチャージにおける刈草排出方向に位置する回転ブレードでの細断性能が低下するとともに、細断された刈草が刈幅全体に均一に放置されなくなることがあった。
【０００４】
本発明は、このような点に着目してなされたものであって、回転ブレードの刈草持ち回り性能を高めることで、長い刈草が混在することの少ない良好な細断性能を発揮させることができるモーアを提供することを主たる目的としている。
【課題を解決するための手段】
【０００５】
第１の発明は、モーアデッキの内部に縦軸心周りに回転駆動される複数の回転ブレードを並列配備するとともに、モーアデッキの内方前部に前記回転ブレードの先端回動軌跡に沿った形状の前部バッフルプレートを設けたモーアにおいて、
前記モーアデッキの前壁と前記前部バッフルプレートとの間に形成された空間における各回転ブレードの前方位置に、前記空間に流出した刈草が排出口側に流動するのを抑制する、前後方向に沿った縦壁状の仕切り板を配備し、前記前部バッフルプレートの下端をモーアデッキにおける前壁の下端よりも高く位置させるとともに、前記仕切り板の下端を、前記前部バッフルプレートの下端より下方に突出させてあることを特徴とする。
【０００６】
上記構成によると、各回転ブレードで切断されて回転方向下手側に跳ね飛ばされる刈草の一部がデッキ前壁と前部バッフルプレートとの間に流出して長い切断長のままで短絡流動することが仕切り板によって抑制される。
【０００７】
従って、第１の発明によると、回転ブレードの刈草持ち回り性能が高まり、長い刈草が混在することの少ない良好な細断性能を発揮させることができる。
【０００８】
【０００９】
上記構成によると、並列配備された複数の回転ブレードそれぞれにおいて刈草の流出が仕切り板によって抑制されるので、各回転ブレードでの刈草持ち回り性能が高いものとなり、刈幅の全域において均一な細断を行うことができ、仕上がりの優れた草刈作業を行うことが可能となる。
【００１０】
【００１１】
上記構成によると、地上に植立している草はモーアデッキの前進移動に伴ってデッキ前壁および前部バッフルプレートで前方に押し倒されながらこれらの下端をくぐり抜けて細断室に導入されることになるが、前部バッフルプレートの下端が全体的にデッキ前壁よりも高いレベルにあるので、前部バッフルプレートによる草の押し倒しがゆるやかなものとなり、前部バッフルプレートを通過した草は速やかに起立復帰し、各回転ブレードで確実に切断される。この場合、前部バッフルプレートの下端と地面との間隔が大きくなることで、刈草が前部バッフルプレートの下端を潜って流出して排出口側に短絡流動しやすくなるが、仕切り板がこれを抑制する。
【００１２】
従って、前部バッフルプレートの下端を高くすることで、前部バッフルプレートを通過した草の起立復帰を良好に行わせて高い切断性能を発揮させることができるとともに、前部バッフルプレートの下端を高くしたことによる弊害を仕切り板によって補うことができ、上記効果を一層顕著に発揮させることができる。
【００１３】
第２の発明は、上記第１の発明において、
前記モーアデッキの内部に細断用バッフルを脱着可能に構成してあることを特徴とする。
【００１４】
上記構成によると、モーアデッキの内部に細断用バッフルを取り付けるとマルチング仕様に、また、細断用バッフルを取外すとサイドディスチャージ仕様となり、いずれの仕様での草刈作業においても、デッキ前壁と前部バッフルプレートとの間に設けた仕切り板によって刈草の流出が抑制され、回転ブレードでの刈草持ち回り性能が高められて、仕上がりの優れたサイドディスチャージ形態、および、刈幅全域での均一なマルチング形態での草刈作業を行うことができる。
【発明を実施するための最良の形態】
【００１５】
以下、本発明の実施例を図面に基づいて説明する。
【００１６】
図１に、本発明に係るモーアＭを装着した乗用型芝刈り機の全体側面が、また、図２にその平面がそれぞれ示されている。この芝刈り機は、キャスタ輪に構成された左右一対の前輪１と左右一対の駆動後輪２を備えた走行機体３における前後輪間の下腹部に、モーアＭが四連リンク構造のリンク機構４を介して吊り下げ支持された構造となっており、リンク機構４を油圧シリンダ５によって昇降操作することで、モーアＭを略平行に昇降できるよう構成されている。また、走行機体３の後部にエンジン６が搭載されるとともに、その前部に運転座席７および門形の転倒保護フレーム（ＲＯＰＳ）８が配備されている。
【００１７】
詳細な構造の説明は省略するが、前記エンジン５の出力はカウンターケース９に入力されて走行系と作業系とに分岐され、走行系の動力はカウンターケース９の左右両側に配備された図示されない左右一対の油圧式の無段変速装置（ＨＳＴ）に入力され、その変速出力が減速ケース１０を介して左右の後輪２に各別伝達されるようになっている。そして、左右の後輪２を駆動する無段変速装置は、運転座席７の左右両脇に前後揺動操作可能に配備された左右一対の走行レバー１１を各別に変速操作することで、左右の後輪２をそれぞれ独立して無段階に前後進変速するよう構成されており、左右の走行レバー１１の操作具合によって直進前後進、ピボットターン、および、スピンターンを任意に行うことができるようになっている。また、分岐された作業系の動力は、カウンターケース９の前面下部に突設されたＰＴＯ軸１２から前方に向けて出力され、後述するようにモーアＭに伝達されるようになっている。
【００１８】
図３および図４に示すように、モーアＭは、下向きに開放されたモーアデッキ１５の内部に、縦軸心周りに回転駆動される３枚の回転ブレード１６Ｌ，１６Ｃ，１６Ｒが、中央の回転ブレード１６Ｃが少し前方に偏位するよう平面視で三角配置されて軸支された構造となっており、モーアデッキ１５は、天板高さが全体的に同高さに設定されたフラットデッキに構成されるとともに、その右端部には、飛散防止用の出口カバー１７を供えた排出口ｄが形成されている。
【００１９】
また、モーアデッキ１５の内部前側には、各回転ブレード１６Ｌ，１６Ｃ，１６Ｒにおける先端回動軌跡の前側部分に沿って浅く屈曲された前部バッフルプレート１８と、前記先端回動軌跡の後側部分に沿って深く屈曲された後部バッフルプレート１９とが設けられ、各回転ブレード１６Ｌ，１６Ｃ，１６Ｒの細断空間が互いに連通した左右に長い一連の細断室がデッキ内に形成されている。
【００２０】
そして、前記ＰＴＯ軸１２から取り出された作業用動力が、モーアデッキ１５の中央上面に配備されたベベルギヤケース２１に屈曲および伸縮自在な軸伝動機構２２を介して伝達され、ベベルギヤケース２１で縦軸回転に変換された回転動力が中央の回転ブレード１６Ｃの回転軸２３Ｃに伝達されるとともに、この回転軸２３Ｃと左右の回転ブレード１６Ｌ，１６Ｒの回転軸２３Ｌ，２３Ｒとがベルト２４によって巻き掛け連動され、各回転ブレード１６Ｌ，１６Ｃ，１６Ｒにおける回転軌跡の前半部が排出口ｄ側に向かうように、全回転ブレード１６，１７，１８が同方向（上面視で時計回り方向）に等速で回転駆動されるようになっている。なお、モーアデッキ１５の周囲には障害物乗り越え用の遊転輪（アンチスキャルプローラ）２５が配備されており、上方への移動融通をもってリンク機構４に吊り下げ支持されたモーアＭに地上の斜面や隆起部などに接近すると、遊転輪２５のいずれかが隆起部などに乗り上がることでモーアＭが相対的に持ち上げられて、モーアデッキ１５が直接に接触して地面を削ることが回避されるようになっている。
【００２１】
また、モーアデッキ１５の前壁１５ａと前部バッフルプレート１８との間に形成された左右に長い空間が、前後方向に沿う３枚の縦壁状の仕切り板２４Ｌ，２４Ｃ，２４Ｒによって仕切られている。ここで、左側の仕切り板２４Ｌは、左回転ブレード１６の略正面位置に、また、中央および右側の仕切り板２４Ｃ，２４Ｒは、中央回転ブレード１６Ｃおよび右回転ブレード１６Ｒの正面位置より少しブレード回転方向下手側に偏位した位置に配備されている。
【００２２】
図１４に示すように、前部バッフルプレート１８の下端形状が以下のように構成されている。つまり、前部バッフルプレート１８の下端の左端部はモーアデッキ１５の前壁１５ａの下端レベルより除々に高く形成されて、左回転ブレード１６Ｌおよび中央回転ブレード１６Ｃの前方に対向する部位では、前部バッフルプレート１８の下端がデッキ前壁１５ａの下端レベルＬ0よりも所定量だけ高いレベルＬ1に設定されている。また、左回転ブレード１６Ｌと中央回転ブレード１６Ｃの中間に対向する部位では前部バッフルプレート１８の下端に凹部１８ａが形成され、この凹部１８ａの形成部位では、前部バッフルプレート１８の下端が前記レベルＬ1よりも高いレベルＬ2になっている。また、中央回転ブレード１６Ｃと右回転ブレード１６Ｒとの中間に対向する部位からバッフルプレート右端までの範囲に亘って長い凹部１８ｂが形成されて、この凹部１８ｂの形成部位における下端のレベルＬ3が前記凹部１８ａの下端レベルＬ2と同等となっている。そして、３枚の仕切り板２４Ｌ，２４Ｃ，２４Ｒの下端は前部バッフルプレート１８の下端より下方に突出されるとともに、デッキ前壁１５ａの下端に対して僅かに（例えば２ｍｍ程度）高い位置に揃えられている。
【００２３】
モーアＭの基本的構造は以上のようであり、モーアデッキ１５の内部仕様を変更することで、刈取った刈草をデッキ右端の排出口ｄから排出するサイドディスチャージ形態と、刈り取った刈草を十分細かく細断した上でモーア通過跡に放置してゆくマルチング形態の２種の形態での草刈り作業を選択することが可能となっており、各形態の構成およびその機能を以下に説明する。
【００２４】
［サイドディスチャージ形態］
【００２５】
図３および図４に、標準的なサイドディスチャージ形態におけるモーアＭを、上面側および底面側から見た平面図がそれぞれ示されており、この形態では、各回転ブレード１６Ｌ，１６Ｃ，１６Ｒで刈り取られた刈草は、天板１５ａおよび前部バッフルプレート１８に沿って図中右側に向けて搬送され、デッキ右端の排出口ｄから円滑に排出される。
【００２６】
この場合、地上に植立している草はモーアデッキ１５の前進移動に伴ってデッキ前壁１５ａおよび前部バッフルプレート１８で前方に押し倒されながらこれらの下端をくぐり抜けて細断室に導入されることになるが、前部バッフルプレート１８の下端が全体的にデッキ前壁１５ａよりも高いレベルにあるので、前部バッフルプレート１８による草の押し倒しがゆるやかなものとなり、前部バッフルプレート１８を通過した草は速やかに起立復帰し、各回転ブレード１６Ｌ，１６Ｃ，１６Ｒで確実に切断される。
【００２７】
また、デッキ前壁１５ａの下端レベルは低いので、回転ブレード１６Ｌ，１６Ｃ，１６Ｒで生起された搬送風の前方への抜け出しが抑制され、もって、排出口ｄからの刈草搬出能力が高く維持されるとともに、跳ね飛ばされた小石や枝が前方への飛び出すのを防止する機能も高いものとなる。
【００２８】
この場合、隣接する回転ブレードの中間部位では回転ブレードが互いに相反する方向に移動して対向するために乱流が発生しやすく、このために草の植立姿勢が不安定になって切断性能が低下しがちとなるが、隣接する回転ブレードの中間部位の前方箇所において前部バッフルプレート１８の下端に凹部１８ａ，１８ｂを形成して地上高を高くしてあるので、この凹部１８ａ，１８ｂの形成箇所では草の押し倒しが更に少なく、前部バッフルプレー１８を潜ってきた草は速やかに起立して切断作用を受けることになり、隣接する回転ブレードの中間部位での刈り残しの発生が抑制される。
【００２９】
なお、刈草排出方向の最も下手に位置する右回転ブレード１６Ｒの切断作用域には、上手の回転ブレード１６Ｌ，１６Ｃで切断された多量の刈草が搬送されてきて、この切断作用域に導入されてくる植立草の起立を妨げるので、下手側の凹部１８ｂを中央回転ブレード１６Ｃと右回転ブレード１６Ｒの中間部位のみならず右回転ブレード１６Ｒの刈幅全域に及ぶように長く形成して、右回転ブレード１６Ｒの刈幅に導入されてくる植立草が起立しやすくしている。
【００３０】
また、各回転ブレード１６Ｌ，１６Ｃ，１６Ｒで切断されて回転方向下手側に跳ね飛ばされる刈草の一部がデッキ前壁１５ａと前部バッフルプレート１８との間に流入して長い切断長のままで排出口ｄに短絡流動することが各仕切り板２４Ｌ，２４Ｃ，２４Ｒによって抑制される。この場合、各仕切り板２４Ｌ，２４Ｃ，２４Ｒが前部バッフルプレート１８の下端よりも低いレベルにあるので、仕切り板２４Ｌ，２４Ｃ，２４Ｒによる短絡流動を阻止する機能が高いものとなる。また、仕切り板２４Ｌ，２４Ｃ，２４Ｒの下端レベルが低いものであるが、モーアＭの進行方向である前後方向に沿った姿勢で仕切り板２４Ｌ，２４Ｃ，２４Ｒが設けられているので、植立している草の間を無理なく移動するだけであり、植立している草を仕切り板２４Ｌ，２４Ｃ，２４Ｒの下端で大きく押し倒してしまうようなことはない。
【００３１】
［マルチング形態］
図５および図６に、マルチング形態に構成されたモーアＭを底面側から見た平面図および斜視図がそれぞれ示されるとともに、図９〜図１２に、各部における縦断面図が示されている。この形態では、樹脂材をブロー成形して中空に構成された細断用バッフル２６が前部バッフルプレート１８の内側に沿って取付けられ、この細断用バッフル２６と後部バッフルプレート１９との共働で各回転ブレード１６Ｌ，１６Ｃ，１６Ｒの回転軌跡を略全周に亘って囲む略円形の細断室２７Ｌ，２７Ｃ，２７Ｒがブレードごとに区画形成され、各回転ブレード１６Ｌ，１６Ｃ，１６Ｒが各自の細断室２７Ｌ，２７Ｃ，２７Ｒで刈草を持ち回して繰返し細断することになる。
【００３２】
この場合、各回転ブレード１６Ｌ，１６Ｃ，１６Ｒで切断されて回転方向下手側に跳ね飛ばされる刈草の一部がデッキ前壁１５ａと前部バッフルプレート１８との間に流入しても、仕切り板２４Ｌ，２４Ｃ，２４Ｒによって排出口ｄ側に流動することが抑制されて落下し、機体前進に伴って各細断室２７Ｌ，２７Ｃ，２７Ｒに導入され、回転ブレード１６Ｌ，１６Ｃ，１６Ｒの回転に伴って地上の刈草は吸い上げられて各細断室２７Ｌ，２７Ｃ，２７Ｒで持ち回られ、回転ブレード１６Ｌ，１６Ｃ，１６Ｒごとで均一で細かい細断が繰返し行われ、デッキ通過跡においては植立した草の間に細かく細断された刈草が潜り込んだ状態となる。
【００３３】
なお、樹脂成形された細断用バッフル２６の詳細な構造を以下に説明する。
【００３４】
前記細断用バッフル２６には、回転ブレード（左）１６Ｌの前部に対向する第１バッフル２６Ｌと、回転ブレード（中央）１６Ｃの前部に対向する第２バッフル２６Ｃと、排出口ｄを閉塞するとともに回転ブレード（右）１６Ｒの前部に対向する第３バッフル２６Ｒが一連に一体形成されており、図８および図１２に示すように、モーアデッキ１５の天板１５ａと前部バッフルプレート１８の内面とのなす角部に当て付けた状態で、デッキ天板１５ａの連結孔２８に上方から挿入した３本のボルト２９をバッフル上面のインサートナット３０に締結装着することで、細断用バッフル２６を所定の姿勢に安定かつ強固に固定するようになっている。
【００３５】
細断用バッフル２６における前記第１バッフル２６Ｌ，第２バッフル２６Ｃ，第３バッフル２６Ｒの内面は、平面視で各回転ブレード１６Ｌ，１６Ｃ，１６Ｒの先端回動軌跡に沿って円弧状に湾曲されて、刈取られて回転ブレード両端の折曲げ羽根ｆによって跳ね飛ばされた刈草を受止め導く案内縦壁面ｇに構成されている。そして、この案内縦壁面ｇは、デッキ天井面に近づくほどブレード回転軸心に近づき、かつ、内方に向けて凹入湾曲した傾斜面に構成されている。このように、細断用バッフル２６に各細断室２７Ｌ，２７Ｃ，２７Ｒごとの案内縦壁面ｇを形成することで、各細断室２７Ｌ，２７Ｃ，２７Ｒで、回転ブレード１６Ｌ，１６Ｃ，１６Ｒの回転によって切断され跳ね上げられた刈草が案内縦壁面ｇに沿って旋回流動しながらその傾斜によって次第に上方及びブレード回転軸心がわに寄せられて落下し、回転ブレード１６Ｌ，１６Ｃ，１６Ｒによる切断作用を繰返し受け、効率良く細断されてゆくことになる。
【００３６】
ここで、細断用バッフル２６における左右の第１バッフル２６Ｌと第３バッフル２６Ｒの案内縦壁面ｇは、ブレード回転方向での角度位相範囲が１８０°より小さく設定されており、回転ブレード１６Ｌ，１６Ｒを所定回転位相にした時には、この回転ブレード１６Ｌ，１６Ｒと案内縦壁面ｇとがブレード回転軸心方向から見て重複しないようになっている。また、中央の第２バッフル２６Ｃの案内縦壁面ｇは、ブレード回転方向での角度位相範囲が１８０°より大きく設定されており、回転ブレード１６Ｃがどのような回転位相にあっても案内縦壁面ｇと回転ブレード１６Ｃの少なくとも一端がブレード回転軸心方向から見て重複するようになっている。
【００３７】
このように、ブレード回転軸心方向視で各回転ブレード１６Ｌ，１６Ｃ，１６Ｒの先端回動軌跡と重複する案内縦壁面ｇを備えた細断用バッフル２６を脱着する際には、図８に示すように、左右の回転ブレード１６Ｌ，１６Ｒを横向きにするとともに、中央の回転ブレード１６Ｃだけを回転軸２３Ｃから取り外すことで、細断用バッフル２６を前部バッフルプレート１８に沿った所定の位置に脱着することができる。
【００３８】
また、隣接する細断室２７は、ブレード回動軌跡が接近する部位において小さい前後幅を持った開口部ｗを介して互いに連通しており、一方の細断室の刈草がその開口部ｗを通って隣の細断室に流出してしまうと細断性能が低下する。そこで、第１バッフル２６Ｌと第２バッフル２６Ｃとの接続部に形成される波形頭部、および、第２バッフル２６Ｃと第３バッフル２６Ｒとの接続部に形成される波形頭部に以下のような工夫を施すことで、開口部ｗでの刈草流出を防止している。
【００３９】
つまり、図１３に示すように、第２バッフル２６Ｃにおける前記案内縦壁面ｇのブレード回転方向での終端部に、回転ブレード１６Ｃの先端回動軌跡に対する接線方向よりも回転軸心側に偏向して刈草を導いて細断室２７Ｃ内に放出する終端案内面ｈが設けられ、これによって、案内縦壁面ｇに沿って旋回流動してきた刈草が開口部ｗに向かって流動しないようにしている。
【００４０】
また、第３バッフル２６Ｒにおける前記案内縦壁面ｇのブレード回転方向での始端部には、細断室２７Ｒ側に向けて少し傾斜した始端案内面ｉが設けられ、回転ブレード１６Ｒによって旋回流動されて開口部ｗに至った刈草を始端案内面ｉによって細断室２７Ｒ側に導くことで、この細断室２７Ｒから隣の細断室２７Ｃへの刈草の流出を防止している。
【００４１】
また、図示しないが、第１バッフル２６Ｌにおける前記案内縦壁面ｇのブレード回転方向での終端部にも上記と同様の終端案内面ｈが設けられるとともに、第２バッフル２６Ｃにおける前記案内縦壁面ｇのブレード回転方向での始端部にも上記と同様の始端案内面ｉが設けられて、細断室（左）２７Ｌから細断室（中央）２７Ｃへの刈草の流出、および、細断室（中央）２７Ｃから細断室（左）２７Ｌへの刈草の流出を防止するようにしている。
【００４２】
〔別実施形態〕
本発明は、以下のような形態で実施することもできる。
【００４３】
（１）細断用バッフル２６を取り付けるマルチング形態において、前記前部バッフルプレート１８の下端辺に形成した凹部を別部材で閉塞しておくと、左回転ブレード１６Ｌの細断室２７Ｌでの持ち回り機能が高いものとなる。
【００４４】
（２）前記細断用バッフル２６に備えた各案内縦壁面ｇの断面形状を直線的な傾斜面にして実施することでも、細断効率の高いマルチング形態での芝刈り作業を行うことができるが、切断されて跳ね上げられた刈芝を旋回案内するコーナー空間を大きくして処理能力を高めるためには、鈍角をもって直線的（くの字状）に凹入させた傾斜面、あるいは、上記したように凹入湾曲させた傾斜面にすることが望ましい。
（３）前記細断用バッフル２６を２分割あるいは３分割して実施することもでき、このような分割構造にしておくと、取り外した細断用バッフルを嵩低く保管することもできる利点がある。
【００４５】
（４）前記細断用バッフル２６をデッキ天板１５ａに締結するボルト２９を蝶ボルトあるいはハンドル付きボルトにすると、工具なしで細断用バッフル２６の脱着を行うことが可能となり、芝刈り作業形態の切換えが容易となる。
【００４６】
（５）前記細断用バッフル２６をブロー成形した樹脂成形品とすると、軽量化を図る上で有利であるが、芝草の種類や芝地の土壌条件などによって細断用バッフル２６の摩耗が問題となる場合には、プレス加工あるいは溶接加工した板金製の細断用バッフルを採用することもできる。
【００４７】
（６）樹脂製の細断用バッフル２６の上面にインサートボルトを備え、あるいは、板金製の細断用バッフルの上面にスタッドボルトを備え、これらボルトをデッキ天板の連結孔から突き出してナットや蝶ナットで締め上げ連結するようにすることもできる。
【００４８】
（７）上記実施形態では、３枚ブレードのモーアＭを例示したが、２枚ブレード型のものに適用することもできる。
【図面の簡単な説明】
【００４９】
【図１】乗用芝刈り機の全体側面図
【図２】乗用芝刈り機の全体平面図
【図３】サイドディスチャージ形態のモーアを示す平面図
【図４】サイドディスチャージ形態のモーアを表裏反転した平面図
【図５】マルチング形態のモーアを表裏反転した平面図
【図６】マルチング形態のモーアを表裏反転した斜視図
【図７】マルチング形態のモーアを表裏反転した分解斜視図
【図８】マルチング形態のモーアを表裏反転した分解平面図
【図９】図５におけるIXーIX断面図
【図１０】図５におけるXーX断面図
【図１１】図５におけるXIーXI断面図
【図１２】図５におけるXIIーXII断面図
【図１３】細断用バッフルの要部を示す平面図
【図１４】前部バッフルプレートの縦断後面図
【符号の説明】
【００５０】
１５                  モーアデッキ
１５ａ                前壁
１６Ｌ                回転ブレード
１６Ｃ                回転ブレード
１６Ｒ                回転ブレード
１８                  前部バッフルプレート
２４Ｌ                仕切り板
２４Ｃ                仕切り板
２４Ｒ                仕切り板
２６                  細断用バッフル
【図１】
0004104147.tif 000002
【図２】
0004104147.tif 000003
【図３】
0004104147.tif 000004
【図４】
0004104147.tif 000005
【図５】
0004104147.tif 000006
【図６】
0004104147.tif 000007
【図７】
0004104147.tif 000008
【図８】
0004104147.tif 000009
【図９】
0004104147.tif 000010
【図１０】
0004104147.tif 000011
【図１１】
0004104147.tif 000012
【図１２】
0004104147.tif 000013
【図１３】
0004104147.tif 000014
【図１４】
0004104147.tif 000015